(57)【要約】【課題】おむつ内部の空気を効果的に換気して、通気性の高い、ムレの少ないおむつを提供する。【解決手段】液透過性を有するトップシートと、液不透過性を有するバックシートと、前記トップシートと前記バックシートとの間に配された吸収体と、前記バックシートの前記吸収体側の面とは逆の面側に設けられたカバーシートを含む吸収性物品であって、  前記カバーシートは、第１カバーシート部分と、前記第１カバーシート部分の前記吸収性物品の長手方向または幅方向のいずれかの端縁部に前記第１カバーシート部分と平面視で一部が重畳して配された第２カバーシート部分と、の少なくとも２つの部分を有し、  前記第１カバーシート部分は、前記重畳している領域の少なくとも一部において、前記第２カバーシート部分と間欠的に接着される第１接着領域を有することを特徴とする、吸収性物品とした。【選択図】図１
2019000463.tif 000002
【特許請求の範囲】
【請求項１】
液透過性を有するトップシートと、液不透過性を有するバックシートと、前記トップシートと前記バックシートとの間に配された吸収体と、前記バックシートの前記吸収体側の面とは逆の面側に設けられたカバーシートを含む吸収性物品であって、
前記カバーシートは、第１カバーシート部分と、前記第１カバーシート部分の前記吸収性物品の長手方向または幅方向のいずれかの端縁部に前記第１カバーシート部分と平面視で一部が重畳して配された第２カバーシート部分と、の少なくとも２つの部分を有し、
前記第１カバーシート部分は、前記重畳している領域の少なくとも一部において、前記第２カバーシート部分と間欠的に接着される第１接着領域を有する
ことを特徴とする、吸収性物品。
【請求項２】
前記第１カバーシート部分は、前記吸収性物品の中央部分に少なくとも存在する中央カバーシート部分であり、前記第２カバーシート部分は、第１周辺カバーシート部分である
ことを特徴とする請求項１に記載の吸収性物品。
【請求項３】
前記カバーシートは、さらに第２周辺カバーシート部分を有し、前記第２周辺カバーシート部分は、前記中央カバーシート部分の前記第１周辺カバーシート部分との間で重畳を有する端縁部と対向する端縁部において、前記中央カバーシート部分と平面視で一部重畳して配されており、前記重畳している領域の少なくとも一部において、前記中央カバーシート部分と接着される第２接着領域 を有する
ことを特徴とする請求項２に記載の吸収性物品。
【請求項４】
前記中央カバーシート部分と前記第２周辺カバーシート部分との前記第２接着領域は、間欠的に接着される
ことを特徴とする、請求項３に記載の吸収性物品。
【請求項５】
前記吸収性物品を平面視した際に、少なくとも一部が前記第１接着領域の少なくとも一部と重なるように、前記第１カバーシート部分の前記長手方向または前記幅方向の端縁部に沿う方向に弾性部材が伸長状態で設置されて、前記第１カバーシート部分と前記第２カバーシート部分との間にフルート構造を形成している
ことを特徴とする,請求項１ないし４のいずれか１項に記載の吸収性物品。
【請求項６】
前記弾性部材は、前記第２カバーシート部分と前記バックシートとの間に配置されている
ことを特徴とする、請求項５に記載の吸収性物品。
【請求項７】
前記弾性部材は、前記第２カバーシート部分と前記第１カバーシート部分との間に配置されている
ことを特徴とする、請求項５に記載の吸収性物品。
【請求項８】
前記吸収体が、吸収性本体を有し、該吸収性本体は、前記第１接着領域の近傍に位置する端縁部に達する溝を有している
ことを特徴とする、請求項１から７のいずれか１項に記載の吸収性物品。
【請求項９】
前記カバーシートが、エアスルーの不織布で形成されている
ことを特徴とする、請求項１から８のいずれか１項に記載の吸収性物品。
【発明の詳細な説明】
【技術分野】
【０００１】
本発明は、使い捨ておむつ（以下、単に「おむつ」とも言う）等の吸収性物品に関する。
【背景技術】
【０００２】
従来、吸収性物品として、装着者の人体より排出された体液（以下、単に「体液」とも言う）を吸収体に誘導して吸収させる、使い捨ておむつ（以下、単に「おむつ」とも言う）が広く知られている。吸収体は、パルプや高吸水性樹脂（Ｓｕｐｅｒ  Ａｂｓｏｒｂｅｎｔ  Ｐｏｌｙｍｅｒ、以下「ＳＡＰ」とも言う）等の吸収性材料（コア）を、コアラップで被包して構成されている。
【０００３】
このような使い捨ておむつの基本構造は概略、内側（装着者の肌に接する側）から外側に向かって順に、液透過性のトップシートと、上記吸収体、液不透過性を有するバックシートの３層構成からなる。これに４層目として、ファスナーやテープなどの装着、着用のための構造を保持しおむつの内部を保護するカバーシートが、バックシートの外側（バックシートの吸収体側の面とは逆の面側）に配置される。内側のトップシートの左右両脇には、排泄物などの漏れを防ぐためのいわゆるギャザーが設けられることもある。（下記特許文献１）
【先行技術文献】
【特許文献】
【０００４】
【特許文献１】特開２０１３−７０７１１号公報
【特許文献２】特許第５９９７４０４号明細書
【特許文献３】特開２００２−１６５８３４号公報
【発明の概要】
【発明が解決しようとする課題】
【０００５】
ところで、着用時の着用者の肌や身体からは、汗や体液などの水分が放出され、吸収体に吸収されて保持されるため、おむつの内部、特にバックシートとカバーシートの間の空気には必然的に水蒸気が滞留し、ムレが生じて着用者の皮膚に湿疹や炎症（いわゆるおむつかぶれ）などを生じる原因となってしまう。
【０００６】
本発明の課題は、おむつ内部の空気を効果的に換気して、通気性の高い、ムレの少ないおむつを提供することにある。
【課題を解決するための手段】
【０００７】
本発明による吸収性物品は、液透過性を有するトップシートと、液不透過性を有するバックシートと、前記トップシートと前記バックシートとの間に配された吸収体と、前記バックシートの前記吸収体側の面とは逆の面側に設けられたカバーシートを含む吸収性物品であって、前記カバーシートは、第１カバーシート部分と、前記第１カバーシート部分の前記吸収性物品の長手方向または幅方向のいずれかの端縁部に前記第１カバーシート部分と平面視で一部が重畳して配された第２カバーシート部分と、の少なくとも２つの部分を有し、前記第１カバーシート部分は、前記重畳している領域の少なくとも一部において、前記第２カバーシート部分と間欠的に接着される第１接着領域を有することを特徴とする、吸収性物品であることを特徴とする。
【発明の効果】
【０００８】
本発明によれば、おむつ内部の空気を効果的に換気でき、通気性の高い、ムレの少ないおむつを提供することが可能となる。
【図面の簡単な説明】
【０００９】
【図１】本発明の実施形態に係るおむつ着用時の外観斜視図である。
【図２】図１に示したおむつの展開状態における模式的な分解斜視図である。
【図３】本発明の実施形態に係るおむつのカバーシート展開平面図、おむつの長手方向断面図、および長手方向２箇所におけるおむつ幅方向断面図である。
【図４】本発明の実施形態に係るおむつの重畳領域の伸長状態と収縮状態における長手方向断面図の部分図である。
【図５】本発明の実施形態の態様１における弾性部材の配置の例を示す、おむつ幅方向断面図および長手方向断面の模式図である。
【図６】本発明の実施形態の態様２における弾性部材の配置の別例を示す、おむつ幅方向断面図および長手方向断面の模式図である。
【図７】本発明の実施形態の態様２における弾性部材の配置の製造工程を説明する図である。
【図８】本発明の実施形態の態様３におけるカバーシートとバックシートの接合領域の例を示す、おむつ展開平面図である。
【図９】本発明の実施形態の態様４におけるカバーシートとバックシートの接合領域の別例を示す、おむつ展開平面図である。
【図１０】本発明の実施形態の態様５における吸収体の構造を説明する部分平面図である。
【発明を実施するための形態】
【００１０】
本発明による吸収性物品の実施形態である使い捨ておむつの例について、図１から図１０を参照しながら詳細に説明する。
【００１１】
周知のように使い捨ておむつにはいわゆるパンツ型のものと、展開型のものがあるが、本発明を展開型の使い捨ておむつに応用した実施形態の例について以下に説明する。
ただし、本発明は実施形態の展開型の使い捨ておむつの態様に限定されるものではない。
【００１２】
＜実施形態＞  
（おむつ着用時の外観斜視図）
図１に本発明の実施形態に係るおむつの、着用時の正面側から見た外観斜視図を示す。本実施形態に係るおむつ１０は、展開型の使い捨ておむつであり、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。
【００１３】
同様に、前身頃領域１０Ｆおよび後身頃領域１０Ｒの下端部と股下領域１０Ｃとで着用者の両脚の太股部分を取り囲む左右一対の脚周り開口部１０Ｌが形成されている。
【００１４】
着用時に前身頃領域１０Ｆは、着用者の腹側に位置し、後身頃領域１０Ｒは着用者の背側に位置する。そして、着用時に股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太股あたりのいずれかに位置することとなる。
【００１５】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接着されている。このファスニングテープ１０Ａは、前身頃領域１０Ｆのカバーシート１１上に接着されたフロントパッチシート１０Ｂに対して繰り返し剥離可能に接合される。
【００１６】
本実施形態では、カバーシート１１を、おむつの長手方向に延在し、部分的に重複（以下、「重畳」ともいう。）して幅方向に並ぶ３つのカバーシート１１Ａ,１１Ｂ,１１Ｃで構成している。
【００１７】
図１では左から順に、カバーシート１１Ａを左サイドカバーシート、１１Ｂを中央カバーシート,１１Ｃを右サイドカバーシートと呼ぶ。左右を区別しない場合は、１１Ａと１１Ｃをまとめて、単にサイドカバーシートと呼ぶ。  図１からも判るように、中央カバーシート１１Ｂとサイドカバーシート１１Ａ、１１Ｃの重複部分において、内側（着用者の肌側）からみて中央カバーシート１１Ｂはサイドカバーシートよりも外側に位置するように構成されている。
【００１８】
図１の中央カバーシート１１Ｂの幅方向両端縁部の波線部分は、内部のサイドカバーシート１１Ａ、１１Ｃの幅方向両端縁部（点線部分）との間で形成された、着用時におむつ内部の換気の通路として作用するフルート構造（波型の屈曲断面による周期的または間欠的開口構造）である。
【００１９】
（おむつ展開状態の分解斜視図）
図２は、図１に示すおむつ１０の展開状態における模式的な分解斜視図である。本実施形態におけるおむつ１０は、着用時の外側にあたる図２の下から上へ順に、カバーシート１１と、液不透過性を有するバックシート（裏面シート）１２と、吸収体１３と、液透過性を有するトップシート（表面シート）１４を重ねた積層構造を有している。
【００２０】
カバーシート１１は、内部を保護し良好な手触りと通気性を得るために、エアスルーの薄い不織布にて形成される。バックシート１２は液不透過性であるが、ある程度の透湿性を有するのが望ましい。吸収体１３は前述のように、吸収性本体１７をコアラップ１８で被覆して構成される。トップシート（表面シート）１４の上部には任意的に、ギャザーを有する一対のサイドシート１５を設けても良い。
【００２１】
図２において最下層に位置する本実施形態のカバーシート１１は、図１とは裏返しにバックシート１２に面する内側の面を上面に表示されているので、中央カバーシート１１Ｂはサイドカバーシート１１Ａ、１１Ｃよりも下層側に位置している。図１と異なり、カバーシート１１は展開状態であるので、サイドカバーシート１１Ａ、１１Ｃの対向する長手方向の端縁部にはフルート構造は表示されていない。
【００２２】
（カバーシートの展開平面図と断面図）
図３は、本発明の実施形態に係るカバーシート１１の展開平面図３（Ａ）、中央カバーシートとサイドカバーシートの重畳領域のおむつの長手方向断面ＩＩＩＢの断面図３（Ｂ）、およびおむつの長手方向２箇所の幅方向断面ＩＩＩＣ、ＩＩＩＤにおける断面図３（Ｃ），３（Ｄ）である。
【００２３】
図３（Ａ）のカバーシート展開平面図において、カバーシート１１は図２とは逆に外側の面を表に表示されており、図１の装着時と同じ外側の面が表示されている。ただし、フロントパッチシート１０Ｂの位置から判るように、図１とは上下が逆となっている。
【００２４】
図３（Ａ）からもわかるように、カバーシート１１は、おむつの長手方向に延在しておむつ幅方向に部分的に重畳して並ぶ、中央部分の中央カバーシート１１Ｂと左右２つのサイドカバーシート１１Ｃ、１１Ａの３つの部分から構成されている。
【００２５】
また、中央カバーシート１１Ｂは、おむつの長手方向に沿ってサイドカバーシート１１Ｃ、１１Ａと部分的に重なる２列の重畳領域２０Ｃ，２０Ａを有しており、重畳領域においてサイドカバーシートよりも図の手前側に位置している。
【００２６】
さらに図３（Ａ）では、中央カバーシート１１Ｂは、重畳領域２０Ｃ，２０Ａの少なくとも一部において、おむつの長手方向に間欠的にサイドカバーシートと接着される接着領域を有することが、重畳領域の長手方向に間欠的に並んだ複数の幅方向の破線の領域で示されている。
【００２７】
なお、本発明において、カバーシート同士の重畳領域の幅は、吸収性物品の通気性や強度を考慮して任意に決定することができるが、通常は２ｍｍ〜５０ｍｍの範囲であり、好ましくは４ｍｍ〜４０ｍｍの範囲であり、特に好ましくは６ｍｍ〜３０ｍｍの範囲とすることができる。
【００２８】
図３（Ｂ）に示すおむつの長手方向断面図（図３（Ａ）のＩＩＩＢ断面）は、展開時の伸長状態における断面（図３（Ｂ）左）と、対応する部分の収縮状態における断面（図３（Ｂ）右）の２つの状態の断面の概略を示す。収縮状態においては、カバーシートの層の位置にフルート構造が形成されていることがわかる。詳細な断面の層構造は図４に後述する。
【００２９】
図３（Ｃ）は、吸収体１３のあるおむつ長手方向中央部に位置する、幅方向断面ＩＩＩＣの断面図である。図３（Ｃ）には、コアをコアラップシートで包んで構成された吸収体１３を、液透過性を有するトップシート１４と、液不透過性を有するバックシート１２で挟んだ吸収性物品としての基本構造が示される。また、本実施形態のカバーシート１１が中央カバーシート１１Ｂとサイドカバーシート１１Ｃ、１１Ａの３つの部分から構成され、重畳領域２０Ｃ，２０Ａで部分的に重なる構造が示される。
【００３０】
加えて、おむつとして任意的にトップシート１４の上に左右からまたがってギャザーを構成する一対のサイドシート１５、おむつ全体に丸みを持たせたり、着用者の脚まわりにおむつがフィットするように伸縮性を与える弾性部材として機能する２本１組の糸ゴム１６などの断面構造も図示される。
【００３１】
また、任意的に糸ゴムのような弾性部材２１Ａ、２１Ｃを、おむつの長手方向に接着領域と重なる位置で、サイドカバーシート１１Ｃ、１１Ａとバックシート１２との間に配置してもよい。これにより、中央カバーシート１１Ｂの幅方向端縁部の重畳領域２０Ｃ，２０Ａ内の接着領域において、フルート構造の形成を確実かつ容易にできる。この弾性部材２１Ａ、２１Ｃは本発明において必須の構成要件ではなく、弾性部材が無い場合であっても間欠的な接着領域でさえあれば、カバーシートとバックシートの間隙にある空気を、カバーシートの押圧によるポンプ効果で、サイドカバーシート１１Ｃ、１１Ａと中央カバーシート１１Ｂの重畳部で接着されない隙間から排気可能である。
【００３２】
図３（Ｄ）は、おむつ長手方向端部の吸収体１３のない部分における幅方向断面ＩＩＩＤの断面図である。弾性部材２１Ａ、２１Ｃの断面も示されているが、この位置ではフルート構造は形成する必要は無く、弾性部材２１Ａ、２１Ｃは接着固定されていない。すなわち伸縮力を発揮しない状態にされている。この部分は、製造時に製品間を切断する際に弾性部材がスナップバックする（伸長状態から弛緩するまでに縮みながら移動する）ための通路として機能する。
【００３３】
なお、弾性部材２１Ａ、２１Ｃが伸縮力を発揮しない状態にするその他の手段として、弾性部材２１Ａ、２１Ｃを切断刃やヒートシール刃によって切断してもよい。この場合は、弾性部材はサイドカバーシート１１Ｃ、１１Ａと中央カバーシートの間に接着した状態で細かい間隔で切断すれば良い。
【００３４】
（カバーシート重畳領域の長手方向断面図の詳細）
図４は、図３（Ｂ）のおむつ長手方向断面ＩＩＩＢの断面図の部分図であって、おむつの重畳領域の伸長状態の図４（Ａ）と、収縮状態の図４（Ｂ）として長手方向断面の層構造を示す。
【００３５】
図４（Ａ）の伸長状態において、各層は上から順にトップシート１４、吸収体１３、バックシート１２、サイドカバーシート１１Ａまたは１１Ｃ、中央カバーシート１１Ｂである。吸収体１３は前述のように吸収性本体をコアラップで被覆した構造であるため、２本の線で挟まれた部分として示されている。
【００３６】
トップシート１４、吸収体１３、バックシート１２の各層の間は、図の蛇行点線で模式的に示すように接合されている。接合にはいわゆるホットメルト接着剤を用いることができるが、これをベタ塗りに接着すると柔軟性が低下し、かえって強度が低下するので、間欠的または部分的な接合とするのが望ましい。あるいはホットメルト接着に代えて、ソニックシール（超音波溶着）やヒートシール（熱融着）を用いることもできる。
【００３７】
図４（Ａ）の左半分において、サイドカバーシート１１Ａまたは１１Ｃと中央カバーシート１１Ｂの重畳領域の間には、長手方向に間欠的な接着領域が形成されている。この接着領域では、ソニックシールやヒートシールによる熱融着、またはホットメルト接着による接合が可能であり、望ましくはソニックシールがよい。
【００３８】
この間欠的な接着領域により、収縮時にカバーシートの幅方向端縁部にフルート構造が形成可能とされており、通気口として着用時におむつ内部の換気の作用をすることが出来る。
【００３９】
図４（Ｂ）の収縮状態においては、このフルート構造の開口が図４（Ａ）の伸長状態よりも拡大していることがわかり、おむつ内部との通気口の開口面積が拡大するため、おむつ着用時におむつ内部の換気が促進される。
【００４０】
前述のように、任意的に糸ゴムのような弾性部材を、おむつの長手方向に接着領域と重なる位置で、カバーシートやバックシートとの間などに配置して間欠的に接着してフルート構造の形成を促進しても良い。この場合、おむつの長手方向の弾性部材端部では、弾性部材が製造時にスナップバックする道を確保する必要があり、弾性部材端部に帯状に接着しない領域を作るのが望ましい。
【００４１】
（態様１：弾性部材の配置）
図５は、任意的な本発明の実施形態の態様１における弾性部材の配置の例を示す、おむつ幅方向断面図５（Ａ）および長手方向断面の模式図５（Ｂ）である。
【００４２】
図５（Ａ）は、図３（Ｃ）と同じ、おむつ長手方向中央部の吸収体１３のある部分の断面ＩＩＩＣにおける、おむつ幅方向断面図である。図５（Ａ）では、例示的に２本１組の糸ゴムのような弾性部材２１Ａ、２１Ｃの断面配置を明示している。この態様１では弾性部材２１Ａ、２１Ｃは、サイドカバーシート１１Ａ（１１Ｃ）とバックシート１２の間に配置され、図５（Ｂ）にも示すように例えばホットメルト接着剤で長さ方向に間欠的に固定されている。
【００４３】
弾性部材とカバーシート、バックシートとの間の接着手段としてはホットメルト接着がもっとも好ましいが、ヒートシールによる熱融着も可能である。ウルトラソニック（超音波）による接着も可能であるが、この場合は特にバックシートを傷つけないようにする配慮が必要である。なお、ホットメルト接着の場合は、糸ゴムの長さ方向にホットメルト接着剤を網目状、Ω字状、スパイラル状にバックシートまたはカバーシートに塗って糸ゴムを固定したり、糸ゴムに対して直接連続的（糸ゴムの収縮力を与える部分だけ）に塗ってもよい。
【００４４】
図５（Ｂ）の長手方向断面の模式図に示すように、サイドカバーシート１１Ａと中央カバーシート１１Ｂの重畳領域の長手方向の間欠的な接着領域と同じ位置で、間欠的に弾性部材を固定するのが望ましい。
【００４５】
図５（Ｂ）に示すように、弾性部材が収縮時にスナップバックする道として、弾性部材のおむつ長手方向の両端部には、弾性部材を接着しない領域が設けられている。この弾性部材を接着しない領域は、フルート構造形成領域の端からおむつ全体の端部までの１／４程度の距離とすることが望ましい
【００４６】
（態様２：弾性部材の配置）
図６は、任意的な本発明の実施形態の態様２における弾性部材の配置の別例を示す、おむつ幅方向断面図６（Ａ）および長手方向断面の模式図６（Ｂ）である。
【００４７】
図６の態様２では弾性部材２１Ａ、２１Ｃは、おむつの長手方向に接着領域と重なる位置で、サイドカバーシート１１Ａ、１１Ｃと中央カバーシート１１Ｂとの間に配置されて間欠的に接着されている。このように弾性部材を配置することにより、弾性部材がフルート開口の真中を通るため、中央カバーシート１１Ｂの側にも収縮力を効果的に伝えることが可能となる。この結果、中央カバーシート１１Ｂの側にサイドカバーシート１１Ａ、１１Ｃと逆向きの波型の屈曲構造を形成し、大きくきれいな形の開口の形成を促進することが可能となる。
【００４８】
この態様２で製造する場合、弾性部材を伸長状態でサイドカバーシートと中央カバーシートとの間に配置し、ウルトラソニック（超音波溶着）で固定することが考えられるが、弾性部材があたる部分では弾性部材が破断しない程度にウルトラソニックをかけるのが望ましい。ウルトラソニックをかけるためには、図７（Ａ）の製造工程断面図に示すように、弾性部材２１Ａまたは２１Ｃ（例えば糸ゴム）を挟んだカバーシート１１Ａ〜Ｃの接着部分を、ウルトラソニックを印加するホーン７１とアンビル７２で挟み込んで超音波をあてる。この際に、一方（例えばホーン７１）の側の弾性部材に当たる部分には、弾性部材をはさむカバーシート部分との間のクリアランスが０．０５ｍｍ〜０．２ｍｍ程度とれる溝を形成して、弾性部材が破断するおそれをなくすることができる。
【００４９】
図７（Ｂ）には、このようにウルトラソニックで接合した後の糸ゴム部分のおむつ長手方向平面図および幅方向断面図を示す。この例では、糸ゴムを２本１組にして使用している。なお、この部分の接着にもヒートシールによる熱融着、またはホットメルト接着による接合が可能であるのはもちろんである。
【００５０】
（態様３：カバーシートとバックシートの接合領域）
図８は、本発明の実施形態の態様３におけるカバーシートとバックシートの接合領域の例を示す、おむつ展開平面図である。図３（Ａ）と同じくカバーシート１１の外側から見た図で、カバーシートとバックシートの接合領域は斜線でハッチングした点線の領域で示している。但し簡単のため、フロントパッチシート１０Ｂは図示していない。
【００５１】
本実施形態のカバーシートは３つの部分からなるため、バックシートとの接合領域をそれぞれの部分に設ける必要がある。２つのサイドカバーシート１１Ａ，１１Ｃについては、おむつ長手方向に沿って図８の斜線で示す接合領域２２Ａ、２２Ｃのように設ければよい。フルート構造の形成を阻害しないよう、接合領域２２Ａ、２２Ｃはカバーシート同士の接着部分、重畳部分は除いて配置するのが望ましい。
【００５２】
また、中央カバーシート１１Ｂについては、バックシート１２との間でおむつ内部の空気を換気・排出するポンプ室として作用する空間を確保するため、おむつ長手方向の両端縁部の接合領域２３Ｂ１、２３Ｂ２でバックシート１２と接合する。すなわち、中央カバーシート１１Ｂは、２つのサイドカバーシート１１Ａ，１１Ｃと重なる部分の近傍、特に長手方向中央部分において、バックシート１２に接着されていない部分を有する。
【００５３】
いずれの接合領域においても例えばホットメルトによる接合とすることができ、ホットメルトの接合パターン（塗布パターン）はベタ塗りではない網目状、スパイラル、オメガ（Ω）など任意のパターンとすることができる。
【００５４】
また任意的にカバーシートの重畳領域の接着領域に弾性部材を配置する場合には、例えば図５の態様であれば、弾性部材に直接ホットメルトを塗って固定してもよく、または弾性部材の固定位置にあたるカバーシートないしバックシートの側に塗っても良い。
【００５５】
なお、図８右端の上下の両矢印の範囲の長手方向部分は、弾性部材２１Ａ，２１Ｃの収縮によってフルート構造のきれいな開口ができ易い領域を示すものである。図１の１６や図２の１９の糸ゴムような、おむつ足廻りやギャザーのための弾性部材もフルート構造形成に寄与する。
【００５６】
（態様４：カバーシートとバックシートの接合領域）
図９は、本発明の実施形態の態様４におけるカバーシートとバックシートの接合領域の別例を示す、おむつ展開平面図である。
【００５７】
図９の態様４では、中央カバーシート１１Ｂとバックシート１２との間の接合のため、図８の態様３の接合領域２３Ｂ１、２３Ｂ２に加えて、おむつの幅方向中央部におむつ長手方向に沿って幅の狭い直線状の接合領域２３Ｂ３を設けたことを特徴とする。この態様の場合、中央カバーシート１１Ｂが接合領域２３Ｂ３で固定されているため、ポンプ作用で押し出される湿った空気は、中央カバーシートとサイドカバーシートの重畳部に形成された開口部に向かいやすく、良好な換気効果が得られる。フルート構造を構成する重畳領域の近傍においてバックシートと接着されていない領域を確保しつつ、このような接合領域を設けることにより、必要なポンプ作用を維持しつつも、例えば子供が座位のまま這い這いをする、いわゆるズリハイをするような場合に、中央カバーシート１１Ｂと床がこすれ摩擦力によってバックシート１２との間でずれや毛羽立ちを生じてしまうのを防止することができる。図９の接合領域２３Ｂ３は、ポンプ室機能やフルート構造の開口形成を阻止してしまわないように形成されていれば直線以外の任意なパターンでもよい。すなわち、例えば、接合領域２３Ｂ１、２３Ｂ２を結ぶ必要は無く、重畳領域２０Ａ、２０Ｃの接着領域と同じように、おむつの長手方向に間欠的に並んだ幅方向のパターンで接合しても良い。
【００５８】
（態様５：吸収体の構造）
図１０は、本発明の実施形態の態様５における吸収体の構造を説明する部分平面図である。おむつの展開状態でカバーシート１１の内側から見て平面視で、カバーシート１１上にバックシート１２と吸収体１３を載置した状態の部分図である。
【００５９】
吸収体１３は図２に示したように通常、吸収性本体１７をコアラップ１８で被覆して構成されるが、圧搾などの機械加工あるいは吸収性本体１７の成形により吸収体１３、あるいは吸収性本体１７の表面に溝のパターンを形成して水分の吸収と拡散、吸収体１３の領域に接する着用者の肌付近の、湿気を含んだ空気の拡散を促進することができる。本態様５では、図１０に示すように吸収体１３の表面に、おむつ幅方向の接着領域の近傍に位置する端縁部に達する溝２４を設けたことを特徴とする。ここで、上記接着領域の近傍とは、前記接着領域から１０ｍｍの範囲内の領域として設計する。より好ましくは、上記近傍は、より小さい該接着領域から５ｍｍの範囲内、さらに小さい１ｍｍの範囲内として設計することができる。特に好ましくは、該接着領域と一致することが好ましい。
【００６０】
溝２４のパターンは図１０のような斜め格子のパターンに限らず、吸収体１３のおむつ幅方向の両端縁部、そして吸収体１３の領域外への空気の拡散を可能とするものでありさえすればよく、例えば曲線の網目状や木の枝状パターンなどであっても良い。
【００６１】
このような溝を設けることによって、吸収体上の湿気を含んだ空気が迅速に移送拡散され、しかもその空気はフルート構造の開口の近くに排出されるので、一層おむつ内部の換気の効率を上げることが可能となる。
【００６２】
＜本発明のその他の実施形態＞  
本発明は、上述した実施形態や、任意的な変形例の態様に限られることなく、本発明の技術的思想から逸脱しない範囲で、その他の実施形態が可能である。
【００６３】
例えば、上記各実施形態またはその変形例に係るおむつの構造は、上述したような展開型に限定されるわけではなく、特許請求の範囲に規定された構成を含む吸収性物品でありさえすれば、どのような構成であってもよい。例えば、パンツ型の使い捨ておむつや、尿パッドなどであっても本発明を適用可能である。加えて、上記実施形態またはその変形例は、乳幼児向けのおむつに限らず、成人向けのおむつ、尿パッドなど、各種吸収性物品に適用可能である。
【００６４】
更に、上記実施形態においてはカバーシートを、おむつの長手方向に延在し、部分的に重複して幅方向に並ぶ３つのカバーシートで構成した例を示したが、上記各種吸収性物品の様々な形状を勘案すれば、カバーシートの構造は、この例に限定されるものでは無い。
【００６５】
本発明においては、複数の（少なくとも２つの）カバーシートが部分的に重畳しており、重畳している領域の少なくとも一部において間欠的に接着されていればよい。つまり、本発明は、２枚のシートでカバーシートが作られているケースを含むものであり、２枚のシートが幅方向に並ぶか、長手方向に並ぶかも任意である。個々のカバーシートの構成要素は完全に別部材でなくても良いので、カバーシート部分と呼ぶことができる。
【００６６】
すなわち本発明のカバーシートは、第１カバーシート部分と第２カバーシート部分の少なくとも２つの部分を有していればよく、第２カバーシート部分は、前記第１カバーシート部分の前記吸収性物品の長手方向または幅方向のいずれかの端縁部に前記第１カバーシート部分と平面視で一部が重畳して配されていればよく、前記第１カバーシート部分は、前記重畳している領域の少なくとも一部において、前記第２カバーシート部分と間欠的に接着される第１接着領域を有していればよい。
【００６７】
この場合において、前記第１カバーシート部分および前記第２カバーシート部分のうち、前記重畳している領域において前記バックシートからより遠い側の層にあるカバーシート部分は、平面視において前記重畳している領域と前記バックシートとが重なる部分の近傍において、前記バックシートに接着されていない部分を有するように構成されることが望ましい。ここで、バックシートに貼られていない領域の幅は、少なくとも１ｍｍ以上、より好ましくは１０ｍｍ以上、特に好ましくは３０ｍｍ以上とすることができる。
【００６８】
このように構成するのは、カバーシートが重畳する部分の近傍では、少なくとも片方のカバーシートはバックシートと接着されていない領域を有することにより、カバーシートとバックシートの間に空間を形成するためである。このような空間により、バックシートとカバーシートを貼り合せる接着剤でバックシートの透湿性が損なわれることがなく、かつ形成された空間が空気をためるポンプ室として作用して、着用者の体動運動などによってカバーシートが圧されると中の空気が、不織布の厚み方向とフルート構造の部分から排気されるという、従来技術にはない優れた効果が発揮される。
【００６９】
また好ましい条件として、換気効果に着目すると、いずれのカバーシート部分についてもバックシートとの接着は少ないほうが望ましい。
【００７０】
更に任意的に、前記第１カバーシート部分は、前記吸収性物品の中央部分に少なくとも存在する中央カバーシート部分であることができ、前記第２カバーシート部分は、第１周辺カバーシート部分であることができる。ここにおける「中央部分」とは、吸収性物品の長手方向の中央部分であってもよく、幅方向の中央部分であってもよい。実施形態においては、中央カバーシート１１Ｂが中央カバーシート部分にあたり、サイドカバーシート１１Ｃ、１１Ａの一方が第１周辺カバーシート部分にあたっている。
【００７１】
また更に任意的に、前記カバーシートは、さらに第２周辺カバーシート部分を有するものとできる。この第２周辺カバーシート部分は、前記中央カバーシート部分の前記第１周辺カバーシート部分との間で重畳を有する端縁部と対向する端縁部において、前記中央カバーシート部分と平面視で一部重畳して配されたものとできる。実施形態においては、サイドカバーシート１１Ｃ、１１Ａの他方が第２周辺カバーシート部分にあたる。
【００７２】
そしてこの第２周辺カバーシート部分は、前記重畳している領域の少なくとも一部において、前記中央カバーシート部分と接着される第２接着領域を有するものとできる。フルート構造は少なくとも一方の接着領域に形成されればよいので、この第２接着領域では接着は特に間欠的であることを必要とはしないが、前記第１接着領域と同様に間欠的な接着としてもよい。このような構成において、本発明は前記実施形態と任意的な各態様の全てを含むものとできる。
【符号の説明】
【００７３】
１０  おむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ａ，１１Ｃ  左右のサイドカバーシート
１１Ｂ  中央カバーシート
１２  バックシート
１３  吸収体
１４  トップシート
１５  サイドシート
１６、１９  糸ゴム（弾性部材）
１７  吸収性本体
１８  コアラップ
２０Ａ，２０Ｃ  重畳領域
２１Ａ，２１Ｃ  弾性部材（糸ゴム）
２２Ｃ，２２Ａ，２３Ｂ１，２３Ｂ２，２３Ｂ３  接合領域
２４  溝
７１  ホーン
７２  アンビル
【図１】
2019000463.tif 000003
【図２】
2019000463.tif 000004
【図３】
2019000463.tif 000005
【図４】
2019000463.tif 000006
【図５】
2019000463.tif 000007
【図６】
2019000463.tif 000008
【図７】
2019000463.tif 000009
【図８】
2019000463.tif 000010
【図９】
2019000463.tif 000011
【図１０】
2019000463.tif 000012